(57)【要約】【課題】ハンズフリー機能付きカーナビゲーション装置１０において、お気に入りＰＯＩのように利用するお気に入り地点を簡単かつ能率的に構築する。【解決手段】お気に入り地点構築のために、カーナビゲーション装置１０の電話帳データを流用する。電話帳の電話番号に対して、同一電話番号のＰＯＩデータをＰＯＩデータベースから検索し、見つかったＰＯＩデータの地点を電話帳の電話番号に対応付けて、お気に入り地点を作成する。適宜、電話帳のグループ分けや発信履歴を利用して、お気に入り地点をグループ分けしたり、お気に入り地点をディスプレイにリスト表示する場合には、発信頻度の高いお気に入り地点から順番に並べたりする。【選択図】図３
2008164420.tif 000002
【特許請求の範囲】
【請求項１】
携帯電話機を外部接続されて該携帯電話機を介してハンズフリーによる通話を実施可能になっているカーナビゲーション装置において、
電話帳を管理する電話帳管理手段、
電話番号が電話帳の電話番号と一致するＰＯＩデータをＰＯＩデータベースから検索して、一致したＰＯＩデータの地点を電話帳の電話番号に対応付ける地点対応付け手段、及び
電話帳の電話番号についての対応付け地点をお気に入り地点として処理する処理手段、
を備えることを特徴とするカーナビゲーション装置。
【請求項２】
前記処理手段は、電話帳の電話番号についての対応付け地点をお気に入り地点として処理する際に、電話帳の通信履歴情報又はグループ分け情報に基づく処理を行うことを特徴とする請求項１記載のカーナビゲーション装置。
【請求項３】
前記地点対応付け手段は、電話番号の一致するＰＯＩデータが見つからない電話帳の電話番号には、ユーザ入力地点を対応付けることを特徴とする請求項１又は２記載のカーナビゲーション装置。
【請求項４】
前記ユーザ入力地点とは、ユーザが現在地に係る電話番号を電話帳に新規登録する際に、該電話番号に対応付けること指示した該現在地であることを特徴とする請求項３記載のカーナビゲーション装置。
【請求項５】
前記地点対応付け手段は、ユーザが現在地に係る電話番号を電話帳に新規登録する際に、該電話番号に一致する電話番号のＰＯＩデータがＰＯＩデータベースに含まれていても、ユーザ指示により、ＰＯＩデータの地点ではなく、現在地を電話帳の電話番号に対応付けることを特徴とする請求項１〜４のいずれかに記載のカーナビゲーション装置。
【請求項６】
前記地点対応付け手段は、モバイル電話機の電話番号に対しては、該電話番号に、該モバイル電話機から通知された、該モバイルの現在地を対応付けることを特徴とする請求項１〜５のいずれかに記載のカーナビゲーション装置。
【請求項７】
前記地点対応付け手段は、電話帳におけるモバイル電話機の電話番号に対応付ける地点を、該モバイル電話機からその現在地の通知があるごとに、該通知された現在地に更新することを特徴とする請求項６記載のカーナビゲーション装置。
【請求項８】
電話番号に代えてメールアドレス又はＵＲＬとすることを特徴とする請求項１〜７のいずれかに記載のカーナビゲーション装置。
【請求項９】
携帯電話機を外部接続されて該携帯電話機を介してハンズフリーによる通話を実施可能になっているカーナビゲーション装置の制御方法において、
電話帳を管理するステップ、
電話番号が電話帳の電話番号と一致するＰＯＩデータをＰＯＩデータベースから検索して、一致したＰＯＩデータの地点を電話帳の電話番号に対応付けるステップ、及び
電話帳の電話番号についての対応付け地点をお気に入り地点として処理するステップ、
を備えることを特徴とするカーナビゲーション装置制御方法。
【発明の詳細な説明】
【技術分野】
【０００１】
本発明は、携帯電話機を外部接続されてハンズフリーによる通話が可能になっているカーナビゲーション装置及び制御方法に関するものである。
【背景技術】
【０００２】
典型的なカーナビゲーション装置は、ＰＯＩ（Point Of Interest）データベースを装備し、所定のＰＯＩをお気に入りＰＯＩに設定し、お気に入りＰＯＩをユーザによる目的地指定に利用して、指定作業を能率化したり、現在の地図表示画面にお気に入りＰＯＩのアイコンを優先的に表示して、ユーザに見易い地図表示画面を提供したりしている。この場合、お気に入りＰＯＩの適切かつ能率的な構築が必要になる。
【０００３】
特許文献１は、その第１４欄第４行〜第１５欄第２０行「本発明での表示設定メニュー〜全ての項目が選択可能になる。」において、お気に入りＰＯＩ（特許文献１では「お好みＰＯＩ」と呼んでいる。）の設定方法について、自動的なものと、手動によるものとの２つを開示している。自動的な設定方法（Frequency use）によれば、各ＰＯＩの使用頻度の動作経歴を記録し、該動作経歴に基づき頻繁に使用するＰＯＩ順でお気に入りＰＯＩリストを作成する。ユーザによる手動設定方法（Custom）によれば、ユーザは、カテゴリーやサブカテゴリーの分類で下位の階層の画面へ切り替えたり、画面をスクロールしたりしつつ、目当てのレストラン名等を探し出し、それらを１つずつ、お気に入りＰＯＩに設定している（特許文献１の図７）。
【０００４】
特許文献２は、お気に入りＰＯＩが季節、曜日、時刻、場所により変化することに対処するため、ベイジアンネットワークを用いてお気に入りＰＯＩを自動的に構築することを開示する。その自動構築方法によれば、特許文献２の図７及び図８に示されているように、ユーザが選択したＰＯＩについて、その時の選択状況を季節、曜日、時刻、場所を項目にして統計を取り、該統計から所定の計算式（特許文献２の段落０１０２，０１１１）に基づき各選択ＰＯＩの重み付けを計算して、次の選択時の季節、曜日、時刻、場所に応じて、その時のユーザにふさわしいお気に入りＰＯＩを割り出すようにしている。
【特許文献１】特開２００３−２６９９８６号公報
【特許文献２】特開２００４−３５５０７５号公報
【発明の開示】
【発明が解決しようとする課題】
【０００５】
特許文献１のユーザ自身によるお気に入りＰＯＩ設定では、ユーザがこれからお気に入りＰＯＩに登録しようとするＰＯＩを膨大なＰＯＩから探し出す必要があり、その探し出す手間が煩雑である。また、目的地選択における選択頻度は下位であっても、頻繁に訪問していたり、緊密な関係となっていたりする地点が存在することがあるが、特許文献１の選択頻度に基づくお気に入りＰＯＩ自動設定では、これら地点がお気に入りＰＯＩから漏れたり、優先順位の低いものとなって、スクロール操作が煩雑になったり、地図画面にアイコンで表示されなかったりする。
【０００６】
特許文献２は、季節、曜日、時刻、場所により細かくお気に入りＰＯＩを設定できるものの、ベイジアンネットワークを使う統計及び計算処理は膨大かつ複雑である。
【０００７】
本発明の目的は、ユーザのお気に入り地点を簡単かつ能率的に自動設定できるカーナビゲーション装置及び制御方法を提供することである。
【課題を解決するための手段】
【０００８】
本発明は、カーナビゲーション装置が、そのハンズフリー機能に関連して、電話帳を装備していることに着目する。電話帳に登録されている電話番号の人や商店等はユーザがその私生活や仕事面で緊密度が高いことを示していると認められる。したがって、電話帳に登録されている電話番号の地点をお気に入り地点として処理することは十分に妥当である。また、この場合、ユーザが作成した電話帳のデータをお気に入りＰＯＩに流用することになるので、お気に入り地点の構築は、ユーザの手間や、カーナビゲーション装置の計算処理を大幅に軽減できる。
【０００９】
本発明のカーナビゲーション装置は、携帯電話機を外部接続されて該携帯電話機を介してハンズフリーによる通話を実施可能になっている。本発明のカーナビゲーション装置は次のものを備えている。
電話帳を管理する電話帳管理手段、
電話番号が電話帳の電話番号と一致するＰＯＩデータをＰＯＩデータベースから検索して、一致したＰＯＩデータの地点を電話帳の電話番号に対応付ける地点対応付け手段、及び
電話帳の電話番号についての対応付け地点をお気に入り地点として処理する処理手段。
【００１０】
本発明のカーナビゲーション装置用制御方法は次のステップを備えている。
電話帳を管理するステップ、
電話番号が電話帳の電話番号と一致するＰＯＩデータをＰＯＩデータベースから検索して、一致したＰＯＩデータの地点を電話帳の電話番号に対応付けるステップ、及び
電話帳の電話番号についての対応付け地点をお気に入り地点として処理するステップ。
【発明の効果】
【００１１】
本発明によれば、カーナビゲーション装置において、電話帳のデータを流用する形式で、お気に入り地点を構築するので、適切なお気に入り地点を簡単かつ能率的に把握することができる。
【発明を実施するための最良の形態】
【００１２】
図１は自動車内において携帯電話機１１をハンズフリーで使用する場合の使用状態を示している。携帯電話機１１は、車内に持ち込まれてから、ケーブル１２を介してカーナビゲーション装置１０へ分離自在に接続される。カーナビゲーション装置１０は、車内のスピーカ（図示せず）及び外付けマイクロホン（図示せず）を接続されていたり、又は内蔵のマイクロホンを装備したりしており、運転者は、それらスピーカ及びマイクロホンからハンズフリーにより携帯電話機１１を介して知人等と電話する。携帯電話機１１は、自動車内で、ケーブル１２ではなく、ワイヤレスでカーナビゲーション装置１０と接続することもできる。
【００１３】
図２はカーナビゲーション装置１０における電話帳情報をリスト形式で表示したものである。カーナビゲーション装置１０は、電話帳を装備しており、ユーザ（この場合は運転者）は、該電話帳から知人や商店等の電話番号を選択して、該電話番号の相手へ電話をかけることができる。
【００１４】
携帯電話機１１の公衆電話回線は、ダイヤルアップにより所定のプロバイダへ接続することにより、インターネットとしても利用可能であり、該インターネットを介して電子メールの送受や、Ｗｅｂ頁の閲覧を行うことができる。その際に便宜のために、電話帳には、電話番号に付加して、又は電話番号に代えて、メールアドレスやＵＲＬ（Uniform Resource Locator）を登録してもよい。電話番号に代えて、メールアドレスやＵＲＬによるお気に入り地点設定については後述する。
【００１５】
図２の電話帳は電話番号がその登録順で掲載されているが、ユーザは、電話帳の氏名リストをグループ別に参照したり、「あいうえお順」で並べ直して参照したりすることもできるようになっている。
【００１６】
図３は電話帳の電話番号に対応のＰＯＩデータを連結したお気に入り地点リスト情報を示している。カーナビゲーション装置１０は、その記憶装置としてのハードディスクにＰＯＩデータベースを装備し、ＰＯＩデータベースには、一般個人については除かれているが、全国の主だった業者を網羅したＰＯＩデータが含まれている。各ＰＯＩデータは、それに対応する業者等の氏名、名称だけでなく、電話番号、地点及びアイコンの情報も含んでいる。したがって、図２の電話帳における業務施設等については、その電話番号と一致する電話番号のＰＯＩデータをＰＯＩデータベースから探し出して、見付かったＰＯＩデータを、図３に示すように、対応付けることができる。なお、ＰＯＩデータは、地点情報を含んでいるので、電話帳の電話番号や氏名等に対してＰＯＩデータを対応付けるということは、それらに対して地点を対応付けることを意味する。
【００１７】
ＰＯＩデータへの対応付けの済んだあるいは対応付け可能な、電話帳内の人物や商店等は、お気に入り地点として、お気に入りＰＯＩと同様な処理を受ける。お気に入り地点の処理例としては、ユーザが目的地の指定を行う場合に、これらお気に入り地点を適宜、目的地指定画面に呼び出したり、地図表示画面に、これらお気に入り地点に絞って又は優先してそのアイコンを表示したりすることが挙げられる。
【００１８】
ＰＯＩデータベースには、一般個人のＰＯＩデータは含まれていないので、電話帳の中の個人については、ＰＯＩデータを対応付けることができない事態が起こる。ＰＯＩデータと対応付けられなかった人物については図３の備考欄において「ＰＯＩ無し」と表示している。ＰＯＩ無しの電話番号については、地点を対応付けるために、以下に説明するように、現在地の対応付け等をユーザに行わせる。
【００１９】
図４は一般個人を電話帳への新規登録するのと同時に代替ＰＯＩ登録する場合の説明図である。２０は、カーナビゲーション装置１０の地図画面に表示される現在地マーク、２１は例えばユーザの知人宅である。カーナビゲーション装置１０は、自動車が目的地に到着した時や、自動車のエンジン始動時とかに、ユーザにディスプレイ画面上の現在地２０をＰＯＩとして登録するか否かを問い合わせる。
【００２０】
ユーザが、否（Ｎｏ）を選択すると、ＰＯＩ登録は行われない。ユーザが正（Ｙｅｓ）を選択すると、カーナビゲーション装置１０は、ユーザに、該知人の「氏名」及び「電話番号」の入力と、知人宅２１のアイコンの選択とを求める。ユーザは、これに従い、「氏名」及び「電話番号」を入力し、知人宅２１のアイコンを選択する。
【００２１】
図４において、ＰＯＩアイコン選択の右横の※はＰＯＩアイコン選択の態様が複数、あることを意味している。また、電話帳は、種々のアイコンを装備している。※の種々の例を挙げると、（ａ）電話帳のもつ複数のグループアイコンを呼び出して、それらから１個をユーザに選択させる。（ｂ）電話帳のもつ複数の画像ファイルを呼び出して、それらから１個をユーザに選択させる。（ｃ）デフォルトのＰＯＩアイコンを選択させる。さらに、顔写真等のデータベースがカーナビゲーション装置１０に装備されているのであれば、それをユーザが知人宅２１のＰＯＩアイコンとして選択できるようにすることもできる。
【００２２】
「氏名」及び「電話番号」は電話帳のデータとして利用される。現在地及び選択したアイコンは、代替ＰＯＩデータとして利用される。こうして、知人宅２１の知人について、「氏名」及び「電話番号」との電話帳データに、代替ＰＯＩデータの地点及びアイコンが対応付けられ、以降は、該知人宅２１の知人についても、ＰＯＩデータに対応付けされている店１等と同様に、お気に入り地点として処理される。
【００２３】
図５はＰＯＩデータがＰＯＩデータベースに存在する店舗を電話帳へ新規登録するのと同時に地点を補正登録する場合の説明図である。登録は、ユーザの自動車がＡ店２５の駐車場２６に到着した時や駐車場２６に駐車している期間等に行われる。
【００２４】
もしＡ店２５が目的地として設定されていた場合、通常のＰＯＩデータでは、Ａ店２５の重心を目的地とした、道路上の最短ボイントＰ１（以下、「引き込みポイント」と呼ぶ。)が案内上の目的地として設定されるので、大型店等では、目的地が実際の到着場所と大きくずれることがある。そこで、Ａ店２５の駐車場２６に停止した時点でその停止場所へＡ店２５の案内ポイントを補正しておけば、Ａ店２５の案内ポイントをＰ１ではなく駐車場２６内の実際の停車地点Ｐ２へ変更することができる。しかし、通常のカーナビゲーション装置では、単純に、図５の現在地２０を指定すると、Ａ店２５の案内ポイントは駐車場２６内の現在地２０にはならず、道路上の引き込みポイント（現在地２０との距離が最小となる道路点）になってしまう。該カーナビゲーション装置１０は、これに対処し、ユーザが現在地２０の対応付けを指示すると、Ａ店２５の案内ポイントをＰ１から現在地２０としてのＰ２へ補正する。また、次回以降、Ａ店２５を目的地とした推奨経路では、ユーザの自動車が道路から駐車場２６へ引き込んだ引き込みポイントからＰ２までの今回の走行軌跡を表示するようになっている。
【００２５】
図５の場合では、図４の場合と同様に、ユーザに現在地をＰＯＩとして登録するか否かの問い合わせが行われる。ユーザが、否（Ｎｏ）を選択すると、ＰＯＩ登録は行われない。
【００２６】
ユーザが正（Ｙｅｓ）を選択したとする。カーナビゲーション装置１０は、ユーザに、現在地２０に対応する店舗の「氏名（名称）」及び「電話番号」の入力と、Ａ店２５に付与するアイコンの選択と、周辺のＰＯＩ情報（Ａ店やＢ店）の入力とを求める。図５のＰＯＩアイコンの右横の※は、図４の場合と同様に、ＰＯＩアイコン選択の態様が複数、あることを意味している。
【００２７】
こうして、Ａ店２５の「氏名（名称）」及び「電話番号」が電話帳データとして登録されるとともに、該「氏名（名称）」及び「電話番号」と、代替ＰＯＩデータ（該代替ＰＯＩデータはＡ店２５の案内ポイントＰ２及びＡ店２５の周辺情報を含んでいる。）との対応付けが行われる。以降、Ａ店２５について、代替ＰＯＩデータとの対応付けに基づきお気に入り地点として処理される。
【００２８】
図６はモバイルＰＯＩを表示している地図画面を例示している。カーナビゲーション装置１０の電話帳に登録されている電話番号が携帯電話機のものであることがある。携帯電話機については、その位置が時々刻々変動するので、モバイルＰＯＩを設定する。図６における３２ａ，３２ｂ，３４は通信相手のモバイルＰＯＩアイコンである。２０ｂ，３２ｂ，３４は自車及び通信相手の自動車の現在地である。また、２０ａ，３２ａは所定時間Ｔ前の自車及び通信相手の自動車の現在地である。
【００２９】
図７は図６の地図表示画面を作成するルーチンのフローチャートである。なお、該フローチャートでは、Ｓ４１〜Ｓ４３はユーザ自身が行う処理であり、その他は、カーナビゲーション装置１０自身が行う処理となっている。携帯電話事業者各社の携帯電話には、ショートメッセージサービス（ＳＭＳ）が存在する。ＳＭＳでは、宛先は電話番号を指定するので、相手の携帯電話のメールアドレスが分からないときにもメッセージを送信することができる。したがって、電話帳に、メールアドレスがなくても、電話番号が記録されていれば、電話番号に対応する人物にＳＭＳを送ることができる。図６の地図画面作成処理にはＳＭＳが利用される。
【００３０】
図７のＳ４１では、ユーザは電話帳を開く。Ｓ４２では、ユーザは、電話帳から宛先を選択する。Ｓ４３では、該モバイルＰＯＩ指定の宛先がメッセージアドレスをもっている否かを判定し、判定結果が正であれば、次のＳ４４へ進み、否であれば、Ｓ４２へ戻る。電話番号がＮＴＴのＤｏＣｏＭｏ社の電話番号であれば、通信相手へＳＭＳが可能、すなわち通信相手のメールアドレス有りと判断できる。
【００３１】
Ｓ４４では、該宛先をモバイルＰＯＩに指定する。典型的には、モバイルＰＯＩの指定は一時的なものとし、図７のルーチンが終了すると、該宛先に対するモバイルＰＯＩ指定が自動的に解除される。Ｓ４５では、モバイルＰＯＩに指定された宛先について、グループ指定となっているか否かを判定し、判定結果が正であれば、Ｓ４９へ進み、否であれば、Ｓ５０へ進む。
【００３２】
Ｓ４９では、同報メッセージサービスの処理に切り替え、その後、Ｓ５１へ進む。Ｓ５０では、通常メッセージサービスの処理に切り替え、その後、Ｓ５１へ進む。
【００３３】
Ｓ５１では、位置情報の通知依頼をＳＭＳにより送付する。Ｓ５２では、相手先位置をＳＭＳにより受信する。Ｓ５３では、図６のモバイルＰＯＩアイコン３２ａ，３２ｂのように、相手先をモバイルＰＯＩにより表示する。なお、Ｓ４９で同報メッセージサービスへ切り替えられている場合には、モバイルＰＯＩアイコン３２ａ，３２ｂだけでなく、別の仲間のモバイルＰＯＩアイコン３４（図６）も表示する。
【００３４】
Ｓ５４では、相手先の現在地の変化をさらに追跡するか否かを判定し、判定結果が正であれば、Ｓ５１へ戻り、否であれば、処理を終了する。
【００３５】
図８はカーナビゲーション装置７０の機能ブロック図である。カーナビゲーション装置７０の一例はカーナビゲーション装置１０（図１）である。カーナビゲーション装置７０は、携帯電話機を外部接続されて、該携帯電話機を介してハンズフリーによる通話を実施可能になっている。カーナビゲーション装置７０は、電話帳管理手段７１、地点対応付け手段７２及び処理手段７３を備えている。
【００３６】
電話帳管理手段７１は電話帳７７を管理する。地点対応付け手段７２は、電話番号が電話帳７７の電話番号と一致するＰＯＩデータをＰＯＩデータベース７８から検索して、一致したＰＯＩデータの地点を電話帳７７の電話番号に対応付ける。処理手段７３は、電話帳７７の電話番号についての対応付け地点をお気に入り地点として処理する。
【００３７】
処理手段７３がお気に入り地点に対して行う具体的な処理とは、例えば、典型的なカーナビゲーション装置がお気に入りＰＯＩに対して行う処理と同一である。例えば、ユーザが、目的地や経由地を設定する際に、お気に入り地点の表示を指示すると、複数のお気に入り地点が画面に表示されて、ユーザはそれらのお気に入り地点の中から１個を能率的に選択することができる。さらに、カーナビゲーション装置７０のディスプレイの画面には、運転中、現在地を含む所定範囲の地域の地図画面が表示されるが、ユーザが優先表示としてお気に入り地点を予め設定しておくことにより、該地図画面には、お気に入り地点のアイコンが優先的に又は限定して表示される。
【００３８】
カーナビゲーション装置７０では、電話帳のデータを流用して、お気に入り地点を構築するので、お気に入り地点構築のための処理を大幅に軽減できる。なお、お気に入り地点をユーザに提示する際の各お気に入り地点の氏名・名称は、典型的には、ユーザが電話帳への登録の際に入力した氏名・名称とするが、適宜、それに代えて、ＰＯＩデータに登録されている名称としてもよいとする。
【００３９】
好ましくは、処理手段７３は、電話帳７７の電話番号についての対応付け地点をお気に入り地点として処理する際に、電話帳７７の通信履歴情報又はグループ分け情報に基づく処理を行う。例えば、処理手段７３は、お気に入り地点を電話帳７７のグループ分けに一致させてグループ分けする。これにより、ユーザは、お気に入り地点の地点指定や優先表示設定のお気に入り地点選択画面をグループごとに呼び出すことができる。また、処理手段７３は、電話帳７７の通信履歴に基づきお気に入り地点の優先度を決める。着信履歴や発信履歴から各電話番号についての通信頻度や通信回数を調べ、例えば、処理手段７３は、お気に入り地点リスト表示には、通信頻度や通信回数の高いものほど、ユーザのお気に入り度が高いと判断して、お気に入り度が高いものから順番に上から下へ画面に表示する。
【００４０】
好ましくは、地点対応付け手段７２は、電話番号の一致するＰＯＩデータが見つからない電話帳７７の電話番号には、ユーザ入力地点を対応付ける。この場合、ユーザ入力地点とは、例えば、ユーザが現在地に係る電話番号を電話帳に新規登録する際に、該電話番号に対応付けること指示した該現在地である。この具体例はカーナビゲーション装置１０における図４及び図５で説明したものである。
【００４１】
好ましくは、地点対応付け手段７２は、ユーザが現在地に係る電話番号を電話帳７７に新規登録する際に、該電話番号に一致する電話番号のＰＯＩデータがＰＯＩデータベース７８に含まれていても、ユーザ指示により、ＰＯＩデータの地点ではなく、現在地を電話帳７７の電話番号に対応付ける。この具体例はカーナビゲーション装置１０における図５で説明したものである。
【００４２】
好ましくは、地点対応付け手段７２は、モバイル電話機の電話番号に対しては、該電話番号に、該モバイル電話機から通知された、該モバイルの現在地を対応付ける。また、地点対応付け手段７２は、電話帳７７におけるモバイル電話機の電話番号に対応付ける地点を、該モバイル電話機からその現在地の通知があるごとに、該通知された現在地に更新する。この具体例はカーナビゲーション装置１０における図６及び図７で説明したものである。
【００４３】
以上は、電話帳７７の電話番号を基にする処理で説明しているが、カーナビゲーション装置７０は、電話番号に代えて、メールアドレス又はＵＲＬにより電話番号と同一の処理を実施できる。
【００４４】
図９はカーナビゲーション装置制御方法９０のフローチャートである。カーナビゲーション装置制御方法９０はカーナビゲーション装置７０に適用される。Ｓ９１では、電話帳７７を管理する。Ｓ９２では、電話番号が電話帳７７の電話番号と一致するＰＯＩデータをＰＯＩデータベース７８から検索して、一致したＰＯＩデータの地点に電話帳７７の電話番号を対応付ける。Ｓ９３では、電話帳７７の電話番号についての対応付け地点をお気に入り地点として処理する。
【００４５】
Ｓ９１，Ｓ９２，Ｓ９３の各処理は、カーナビゲーション装置７０の電話帳管理手段７１、地点対応付け手段７２及び処理手段７３の各機能に対応しており、電話帳管理手段７１、地点対応付け手段７２及び処理手段７３の各機能についての具体的態様は、Ｓ９１，Ｓ９２，Ｓ９３の各処理の具体的態様手としても適用可能となっている。
【００４６】
本発明を最良の形態等について説明したが、本発明は、これに限定されず、要旨の範囲内で種々の形態により実施可能であることは言うまでもない。
【図面の簡単な説明】
【００４７】
【図１】自動車内において携帯電話機をハンズフリーで使用する場合の使用状態を示す図である。
【図２】カーナビゲーション装置における電話帳情報をリスト形式で表示したものである。
【図３】電話帳の電話番号に対応のＰＯＩデータを連結したお気に入り地点リスト情報を示す図である。
【図４】一般個人を電話帳への新規登録するのと同時に代替ＰＯＩ登録する場合の説明図である。
【図５】ＰＯＩデータがＰＯＩデータベースに存在する店舗を電話帳へ新規登録するのと同時に地点を補正登録する場合の説明図である。
【図６】モバイルＰＯＩを表示している地図画面を例示す図である。
【図７】図６の地図表示画面を作成するルーチンのフローチャートである。
【図８】カーナビゲーション装置の機能ブロック図である。
【図９】カーナビゲーション装置制御方法のフローチャートである。
【符号の説明】
【００４８】
７０：カーナビゲーション装置、７１：電話帳管理手段、７２：地点対応付け手段、７３：処理手段、７７：電話帳、７８：ＰＯＩデータベース、９０：カーナビゲーション装置制御方法。
【図１】
2008164420.tif 000003
【図２】
2008164420.tif 000004
【図３】
2008164420.tif 000005
【図４】
2008164420.tif 000006
【図５】
2008164420.tif 000007
【図６】
2008164420.tif 000008
【図７】
2008164420.tif 000009
【図８】
2008164420.tif 000010
【図９】
2008164420.tif 000011